(57)【特許請求の範囲】
【請求項１】
給湯される湯の温度を調節する調温手段（１１、１２）と、
前記調温手段（１１、１２）により調温された湯を給湯する給湯手段（１４、Ｋ）と、
前記給湯手段（１４、Ｋ）により給湯される湯の給湯設定温度を入力する入力手段（５４８、７４６）と、
給湯設定温度に応じて調温した湯を給湯する通常運転モードと、給湯設定温度に所定の上限値を有する安全運転モードとを選択する運転モード選択手段（５３、７３）と、
前記運転モード選択手段（５３、７３）により選択された運転モードに応じて前記調温手段（１１、１２）を制御する制御手段（２ａ）とを有し、
前記通常運転モード時に給湯設定温度には下限値が設けられており、
前記安全運転モード時の給湯設定温度の下限値は前記通常運転モード時の前記給湯設定温度の下限値よりも高いことを特徴とする給湯装置。
【請求項２】
前記給湯手段（１４）は浴槽（Ｙ）内に調温された湯を供給することを特徴とする請求項１に記載の給湯装置。
【請求項３】
給湯する湯を用いて前記浴槽（Ｙ）内の浴水の温度を調温する浴水調温手段と、
その浴水調温手段にて調温する浴水設定温度を入力する入力手段（７４５）と、
浴水設定温度に応じて浴水温度を調温する通常運転モードと、浴水設定温度に所定の上限値を有する安全運転モードとを選択する運転モード選択手段（５３、７３）とを有し、
前記制御手段（２ａ）は、前記運転モード選択手段（５３、７３）により選択された運転モードに応じて浴水温度を調温することを特徴とする請求項１または請求項２に記載の給湯装置。
【請求項４】
前記通常運転モード時に浴水設定温度には下限値が設けられており、
前記安全運転モード時の浴水設定温度の下限値は前記通常運転モード時の前記浴水設定温度の下限値よりも高いことを特徴とする請求項３に記載の給湯装置。
【請求項５】
前記通常運転モード時に給湯設定温度もしくは浴水設定温度には上限値が設けられており、
前記安全運転モード時の給湯設定温度もしくは浴水設定温度の上限値は前記通常運転モード時の給湯設定温度もしくは浴水設定温度の上限値よりも低いことを特徴とする請求項３または請求項４に記載の給湯装置。
【請求項６】
前記上限温度および前記下限温度を任意に設定可能としたことを特徴とする請求項１ないし請求項５のうちいずれか１項に記載の給湯装置。
【請求項７】
前記制御手段（２ａ）は遠隔操作部（５０、７０）を有し、
前記遠隔操作部（５０、７０）には本給湯装置の作動状態に関する情報を表示する表示部（５２、７２）を有し、
前記制御手段（２ａ）は、前記安全運転モードが設定されているときには前記表示部（５２、７２）に安全運転モードである旨の表示（５２１、７２１）をすることを特徴とする請求項１ないし請求項６のうちいずれか１項に記載の給湯装置。
【請求項８】
貯湯タンク（１０）と、
前記貯湯タンク（１０）内の水を加熱する水加熱手段（３）と、
前記貯湯タンク（１０）に給水する給水管（１０１）と、
前記貯湯タンク（１０）から出湯させる出湯管（１０４）と、
前記給水管（１０１）から分岐し、前記出湯管（１０４）に接続される給水分岐管（１０５）と、
前記出湯管（１０４）からの湯と前記給水分岐管（１０５）からの水の混合割合を調節する混合手段（１１、１２）と、
前記混合手段（１１、１２）によって混合された湯を給湯する給湯管（１０６、１０７）とを有し、
前記調温手段（１１、１２）として前記混合手段（１１、１２）を用いることを特徴とする請求項１ないし請求項７のうちいずれか１項に記載の給湯装置。
【発明の詳細な説明】
【技術分野】
【０００１】
本発明は、給湯温度や風呂の浴水温度の設定を変えることのできる給湯装置に関するものである。
【背景技術】
【０００２】
給湯装置に設けられるリモコンは、多くの場合、浴室に設けられる浴室リモコンと台所などに設けられるメインリモコンとがセットになっており、それぞれにおいて湯の温度を設定できるようになっている。代表的な例を挙げると、浴室リモコンでは給湯温度や風呂（浴水）温度の設定が可能であり、メインリモコンでは給湯温度の設定が可能であり、その設定温度範囲は、給湯温度が３５〜５０℃（１℃刻み）もしくは６０℃の所定値、風呂温度が３５〜４８℃（１℃刻み）である。
【０００３】
この場合、給湯温度の５０℃近傍や６０℃の所定値、風呂温度のおよそ４５℃以上は火傷するおそれがあるため、特に高齢者や子供の風呂使用においては、浴室リモコンに設けたチャイルドセーフティロックスイッチを押すことにより、湯の設定温度の変更が浴室からできなくなるチャイルドセーフティロックモードを合わせ持っている。なお、チャイルドセーフティロックモードの設定、解除は、誤操作と高齢者や子供による容易な解除とを防止するため、当該スイッチの３秒程度の長押しを必要とするのが普通である。
【発明の開示】
【発明が解決しようとする課題】
【０００４】
しかしながら、このようなチャイルドセーフティロックモードとした場合、当然ながら給湯温度や風呂温度の設定変更ができないため、高齢者や子供とはいえ使用上の不便さは否めない。本発明は、上記従来の問題に鑑みて成されたものであり、その目的は、火傷するおそれのない湯の温度範囲内で設定温度の変更が可能なチャイルドセーフティモードを持つ給湯装置を提供することにある。
【課題を解決するための手段】
【０００５】
本発明は上記目的を達成するために、請求項１ないし請求項８に記載の技術的手段を採用する。すなわち、請求項１に記載の発明では、給湯される湯の温度を調節する調温手段（１１、１２）と、
調温手段（１１、１２）により調温された湯を給湯する給湯手段（１４、Ｋ）と、
給湯手段（１４、Ｋ）により給湯される湯の給湯設定温度を入力する入力手段（５４８、７４６）と、
給湯設定温度に応じて調温した湯を給湯する通常運転モードと、給湯設定温度に所定の上限値を有する安全運転モードとを選択する運転モード選択手段（５３、７３）と、
運転モード選択手段（５３、７３）により選択された運転モードに応じて調温手段（１１、１２）を制御する制御手段（２ａ）とを有し、
通常運転モード時に給湯設定温度には下限値が設けられており、
安全運転モード時の給湯設定温度の下限値は通常運転モード時の給湯設定温度の下限値よりも高いことを特徴としている。
【０００６】
この請求項１に記載の発明によれば、運転モード選択手段（５３、７３）を操作することにより、制御手段（２ａ）は安全運転モードとして、予め火傷するおそれのない温度範囲に制限して設定した温度範囲内において、給湯温度の設定温度の変更を可能とするため、安全かつ使い勝手に優れた給湯装置とすることができる。さらに、予め下限温度を通常運転モードよりも高く制限することにより、湯がぬるくなって体調を崩すおそれを無くすことができる。
【０００７】
また、請求項２に記載の発明では、請求項１に記載の給湯装置において、給湯手段（１４）は浴槽（Ｙ）内に調温された湯を供給することを特徴としている。この請求項２に記載の発明によれば、カランやシャワーだけでなく、浴槽（Ｙ）内に供給される湯も火傷するおそれのない温度範囲に調温された湯となるため、安全となる。
【０００８】
また、請求項３に記載の発明では、請求項１または請求項２に記載の給湯装置において、給湯する湯を用いて浴槽（Ｙ）内の浴水の温度を調温する浴水調温手段と、
その浴水調温手段にて調温する浴水設定温度を入力する入力手段（７４５）と、
浴水設定温度に応じて浴水温度を調温する通常運転モードと、浴水設定温度に所定の上限値を有する安全運転モードとを選択する運転モード選択手段（５３、７３）とを有し、
制御手段（２ａ）は、運転モード選択手段（５３、７３）により選択された運転モードに応じて浴水温度を調温することを特徴としている。
【０００９】
この請求項３に記載の発明によれば、運転モード選択手段（５３、７３）を操作することにより、制御手段（２ａ）は安全運転モードとして、予め火傷するおそれのない温度範囲に制限して設定した温度範囲内において、浴水温度の設定温度の変更を可能とするため、安全かつ使い勝手に優れた給湯装置とすることができる。
【００１０】
また、請求項４に記載の発明では、請求項３に記載の給湯装置において、通常運転モード時に浴水設定温度には下限値が設けられており、安全運転モード時の浴水設定温度の下限値は通常運転モード時の浴水設定温度の下限値よりも高いことを特徴としている。
【００１１】
この請求項４に記載の発明によれば、予め安全運転モード時の浴水設定温度の下限温度を通常運転モードよりも高く制限することにより、湯がぬるくなって体調を崩すおそれを無くすことができる。
【００１２】
また、請求項５に記載の発明では、請求項３または請求項４に記載の給湯装置において、通常運転モード時に給湯設定温度もしくは浴水設定温度には上限値が設けられており、安全運転モード時の給湯設定温度もしくは浴水設定温度の上限値は通常運転モード時の給湯設定温度もしくは浴水設定温度の上限値よりも低いことを特徴としている。この請求項５に記載の発明によれば、予め上限温度も通常運転モードよりも低く制限することにより、火傷するおそれを無くすことができる。
【００１３】
また、請求項６に記載の発明では、請求項１ないし請求項５のうちいずれか１項に記載の給湯装置において、上限温度および下限温度を任意に設定可能としたことを特徴としている。この請求項６に記載の発明によれば、給湯温度と風呂温度とのそれぞれ上限温度と下限温度とを任意に設定できることで、より適度な温度に調節することができ、使い勝手を良くする事ができる。
【００１４】
また、請求項７に記載の発明では、請求項１ないし請求項６のうちいずれか１項に記載の給湯装置において、制御手段（２ａ）は遠隔操作部（５０、７０）を有し、遠隔操作部（５０、７０）には本給湯装置の作動状態に関する情報を表示する表示部（５２、７２）を有し、制御手段（２ａ）は、安全運転モードが設定されているときには表示部（５２、７２）に安全運転モードである旨の表示（５２１、７２１）をすることを特徴としている。この請求項７に記載の発明によれば、設定温度の変更に制限が掛かっていても、使用者に疑問を抱かせることがない。
【００１５】
また、請求項８に記載の発明では、請求項１ないし請求項７のうちいずれか１項に記載の給湯装置において、
貯湯タンク（１０）と、
貯湯タンク（１０）内の水を加熱する水加熱手段（３）と、
貯湯タンク（１０）に給水する給水管（１０１）と、
貯湯タンク（１０）から出湯させる出湯管（１０４）と、
給水管（１０１）から分岐し、出湯管（１０４）に接続される給水分岐管（１０５）と、
出湯管（１０４）からの湯と給水分岐管（１０５）からの水の混合割合を調節する混合手段（１１、１２）と、
混合手段（１１、１２）によって混合された湯を給湯する給湯管（１０６、１０７）とを有し、
調温手段（１１、１２）として混合手段（１１、１２）を用いることを特徴としている。
【００１６】
この請求項８に記載の発明によれば、一般的な貯湯式の給湯装置において、安全かつ使い勝手を良くすることができる。なお、上記各手段の括弧内の符号は、後述する実施形態に記載の具体的手段との対応関係を示す一例である。
【発明を実施するための最良の形態】
【００１７】
（第１実施形態）
以下、本発明を適用した第１実施形態の給湯装置について、添付した図１ないし図４を用いて詳細に説明する。図１は、本発明の実施形態に係る給湯装置の概略構成を示す模式図であり、図２はメインリモコン５０の外観図、図３は浴室リモコン７０の外観図である。本実施形態の貯湯式の給湯装置１は、図１に示すように、大別して主に貯湯タンク１０を収納した貯湯タンクユニット２と、水加熱手段としてのヒートポンプユニット３とから成っている。そしてこれらは屋外の適所に配設されている。
【００１８】
貯湯タンク１０は、耐食性に優れた、例えばステンレスなどの金属製にて成るタンクであり、外周部に図示しない断熱材が配置されており、給湯用の高温水を長時間に亘って保温することができるようになっている。また貯湯タンク１０は、設置時のスペース効率を考慮して縦長形状としており、その底面には冷水入口１０ａが設けられ、この冷水入口１０ａには貯湯タンクユニット２内に水道水を導入する給水経路である給水管１０１が接続されている。
【００１９】
一方、貯湯タンク１０の最上部には温水出口１０ｄが設けられ、この温水出口１０ｄには貯湯タンク１０内の高温水を導出するための給湯経路である出湯管１０４が接続されている。この出湯管１０４には、図示しないサーミスタと流量カウンターとが設けられており、サーミスタは出湯管１０４を流れる高温水の温度情報を制御手段としての給湯制御装置２ａへ出力し、流量カウンターは出湯管１０４を流れる高温水の流量情報を給湯制御装置２ａへ出力するようになっている。
【００２０】
また、出湯管１０４の経路途中には、逃し弁１３が設けられた排出配管を接続しており、貯湯タンク１０内の圧力が所定圧以上に上昇した場合には、貯湯タンク１０内の給湯水を外部に排出して、貯湯タンク１０などにダメージを与えないようになっている。出湯管１０４には、流量カウンターより下流側において給水管１０１からの給水分岐管１０５が接続されており、この給水分岐管１０５との合流点には、調温手段、混合手段としての風呂給湯混合弁１１が配置されている。
【００２１】
風呂給湯混合弁１１は、開口面積比（出湯管１０４に連通する湯側の開度と、給水分岐管１０５に連通する水側の開度との比率）を調節することにより、給湯管の１つとしての風呂用給湯管１０６を介して下流側にある浴槽Ｙに高温水と冷水とを混合して設定温度に調節しながら給湯するようになっている。なお、風呂用給湯管１０６の途中には給湯手段としての湯張り用開閉弁１４が設けられており、給湯制御装置２ａからの信号によって浴槽Ｙへ調温された湯を給湯するようになっている。
【００２２】
また、出湯管１０４と給水分岐管１０５とは風呂給湯混合弁１１のそれぞれ上流側で分岐されており、その分岐した出湯管１０４と分岐した給水分岐管１０５との合流点には、調温手段、混合手段としての給湯混合弁１２が配置されている。この給湯混合弁１２は、開口面積比（出湯管１０４に連通する湯側の開度と、給水分岐管１０５に連通する水側の開度との比率）を調節することにより、給湯管１０７を介して下流側にあるカランやシャワーなどの給湯手段としての混合栓Ｋに、高温水と冷水とを混合して所定温度に調節しながら給湯するようになっている。
【００２３】
また、貯湯タンク１０の下部には、給水管１０１から貯湯タンク１０内に供給された水を流出するための冷水出口１０ｂが設けられ、この冷水出口１０ｂとヒートポンプユニット３とは配管としての往き管１０２で接続されている。また、貯湯タンク１０の上部には、ヒートポンプユニット３で加熱された湯が貯湯タンク１０内に流入するための温水入口１０ｃが設けられ、ヒートポンプユニット３とこの温水入口１０ｃとは配管としての戻り管１０３で接続されている。
【００２４】
冷水出口１０ｂと温水入口１０ｃとは、このように水循環回路で接続されており、この水循環回路の途中にヒートポンプユニット３が接続されている。ヒートポンプユニット３内の往き管１０２には図示しない水循環ポンプが設けられている。また、ヒートポンプユニット３内で水循環ポンプ下流側の水循環回路には、図示しない水冷媒熱交換器が接続されている。
【００２５】
水循環回路の水冷媒熱交換器の上流側および下流側には、図示しないサーミスタが設けられ、このサーミスタは貯湯タンク１０内から水冷媒熱交換器へ流入する水の温度情報と水冷媒熱交換器から貯湯タンク１０内へ戻る高温水の温度情報とを給湯制御装置２ａに出力するようになっている。
【００２６】
更に、貯湯タンク１０の外壁面には、複数の図示しないサーミスタが縦方向に所定の間隔を開けて配置され、貯湯タンク１０内の各水位レベルにおける温度情報を給湯制御装置２ａへ出力するようになっている。ヒートポンプユニット３は、本発明における水加熱手段を成すもので、図示しない電動冷媒圧縮機、水冷媒熱交換器、膨張弁などの減圧手段、送風機を備える冷媒蒸発器が冷媒配管によって順次接続されて閉回路を構成するものである。
【００２７】
電動冷媒圧縮機には、図示しないインバータが設けられている。このインバータは、電動冷媒圧縮機のモーターに供給する電力を可変して電動冷媒圧縮機の回転数（ひいては冷媒吐出量）を可変することができ、熱源制御装置３ａによって制御されている。ヒートポンプユニット３は、例えば二酸化炭素（ＣＯ２）を冷媒としており、冷媒を電動冷媒圧縮機で高温高圧にして水冷媒熱交換器において貯湯タンク１０から供給される冷水（水道水）との間で熱交換を行い、冷水を所定温度（例えば９０℃）の湯にするものである。
【００２８】
そして、その高温水を貯湯タンク１０内に貯湯することができるようになっている。なお、これらの制御手段は、給湯制御装置２ａと熱源制御装置３ａとから成る。図１に示すように、これは通信ラインで連絡されている。そして、後述するリモコン５０、７０の入力情報に基づいて給湯制御装置２ａは、ヒートポンプユニット３の熱源制御装置３ａ、具体的には電動冷媒圧縮機のインバータ、膨張弁、送風機、水循環ポンプなどの作動を制御するように構成されている。ちなみに熱源制御装置３ａは、ヒートポンプユニット３内に設けられている。
【００２９】
また、ユーザーによって設定される給湯の設定温度（例えば４２℃）や、各センサーからの信号、沸き上げモードなどの情報がリモコン５０、７０から給湯制御装置２ａに入力される。給湯制御装置２ａは貯湯タンクユニット２内に設けられ、前述した各サーミスタからの温度情報や流量カウンターからの流量情報が入力される。
【００３０】
メインリモコン５０は、本実施形態における遠隔操作部の１つであり、浴室リモコン７０は、本実施形態における遠隔操作部の別の一つである。メインリモコン５０は、例えば台所などの屋内の適所に配設され、浴室リモコン７０は浴室内に配設されている。また、貯湯タンクユニット２は、給湯する湯を用いて浴槽Ｙ内の浴水の温度を調温する図示しない浴水調温手段を備え、この浴水調温手段によって浴水を保温できるようになっている。
【００３１】
給湯制御装置２ａは、記憶された制御フローや、後述するメインリモコン５０の制御回路５１、浴室リモコン７０の制御回路７１からの信号に基づき、必要に応じて熱源制御装置３ａに信号を出力してヒートポンプユニット３を運転制御するとともに、熱源制御装置３ａからヒートポンプユニット３の運転作動状態に関する信号を入力するようになっている。
【００３２】
また、給湯制御装置２ａは、制御回路５１、７１からの信号に基づき、貯湯タンクユニット２の湯張り手段や浴水調温手段などを作動制御するとともに、制御回路５１、７１に対し、本体部（貯湯タンクユニット２およびヒートポンプユニット３）の作動状態に関する信号を出力するようになっている。本体部とメインリモコン５０と浴室リモコン７０との信号伝達には、信号伝達媒体として有線、電波、光、超音波などを用いることが可能であり、本実施形態では有線を採用している。
【００３３】
メインリモコン５０は、制御手段の１部としての制御回路５１を備え、制御回路５１には、本実施形態における運転モード選択手段としてのチャイルドセーフティモードスイッチ５３、各種作動指令入力手段としてのスイッチ５４、および本実施形態における表示部５２が連携している。そして、制御回路５１は、給湯制御装置２ａに対し各スイッチ５３、５４の操作情報を出力するとともに、給湯制御装置２ａから入力する信号に基づいて表示部５２を表示制御するようになっている。
【００３４】
また、浴室リモコン７０は、制御手段の１部としての制御回路７１を備え、制御回路７１には、本実施形態における運転モード選択手段としてのチャイルドセーフティモードスイッチ７３、各種作動指令入力手段としてのスイッチ７４、および本実施形態における表示部７２が連携している。そして、制御回路７１は、給湯制御装置２ａに対し各スイッチ７３、７４の操作情報を出力するとともに、給湯制御装置２ａから入力する信号に基づいて表示部７２を表示制御するようになっている。
【００３５】
図２に示すように、メインリモコン５０には、前述したチャイルドセーフティモードスイッチ５３が設置され、表示部５２内にはチャイルドセーフティモード表示５２１が配設されている。チャイルドセーフティモード表示５２１は、チャイルドセーフティモードスイッチ５３、７３の設定状態に応じて表示し、チャイルドセーフティモード表示５２１の表示の有無でチャイルドセーフティモードスイッチ５３、７３の設定状態を識別できるようになっている。
【００３６】
メインリモコン５０のスイッチ５４は、複数の制御スイッチで構成されるものであり、本実施形態では、図２に示すように、風呂自動スイッチ５４１、表示消灯スイッチ５４２、運転モードスイッチ５４３、強制沸増スイッチ５４４、休止スイッチ５４５、時刻設定スイッチ５４６、予約スイッチ５４７、給湯温度変更スイッチ５４８などを備えている。
【００３７】
風呂自動スイッチ５４１は貯湯タンクユニット２に浴槽への湯張りを自動で行わせる指令を行うためのスイッチ、表示消灯スイッチ５４２は表示部５２、７２を消灯するためのスイッチ、運転モードスイッチ５４３はヒートポンプユニット３による沸き上げモードの設定変更を指令するスイッチ、強制沸増スイッチ５４４はヒートポンプユニット３を強制的に作動させる指令を行うスイッチである。
【００３８】
また、休止スイッチ５４５はヒートポンプユニット３による沸き上げの休止を指令するスイッチ、時刻設定スイッチ５４６は表示部５２に表示される時刻の調整を指令するスイッチ、予約スイッチ５４７は貯湯タンクユニット２による湯張りを設定時刻に完了させる指令を行うためのスイッチ、給湯温度変更スイッチ５４８は給湯温度の設定値の上昇または下降を指令する本発明で言う入力手段としてのスイッチである。
【００３９】
メインリモコン５０の表示部５２は、表示素子に蛍光表示管を採用しており、前述のスイッチ５３、５４による設定状態や貯湯タンクユニット２の貯湯量などが表示できるようになっている。また、表示部５２は、図２に示すように、先のチャイルドセーフティモード表示５２１など蛍光表示管により文字をセグメント表示させるセグメント表示部と、蛍光表示管のドットマトリックスにより文字、あるいは図を表示させるドットマトリックス表示部５２２とを持っている。
【００４０】
本実施形態では、運転モードスイッチ５４３による設定モードなどの表示はセグメント表示部にし、ドットマトリックス表示部５２２に時刻表示や給湯温度表示、および貯湯量のバー表示などを行うようにしている。
【００４１】
一方、図３に示すように、浴室リモコン７０にも、前述したチャイルドセーフティモードスイッチ７３が設置され、表示部７２内にはチャイルドセーフティモード表示７２１が配設されている。チャイルドセーフティモード表示７２１は、チャイルドセーフティモードスイッチ５３、７３の設定状態に応じて表示し、チャイルドセーフティモード表示７２１の表示の有無でチャイルドセーフティモードスイッチ５３、７３の設定状態を識別できるようになっている。
【００４２】
浴室リモコン７０のスイッチ７４は、複数の制御スイッチで構成されるものであり、本実施形態では、風呂自動スイッチ７４１、追い焚きスイッチ７４２、足し湯スイッチ７４３、呼出スイッチ７４４、風呂温度変更スイッチ７４５、給湯温度変更スイッチ５４６などを備えている。
【００４３】
風呂自動スイッチ７４１は貯湯タンクユニット２に浴槽への湯張りを自動で行わせる指令を行うためのスイッチ、追い焚きスイッチ７４２は浴槽内の浴水の温度を設定温度まで加熱する指令を行うスイッチ、足し湯スイッチ７４３は貯湯タンクユニット２に浴槽への足し湯を指令するスイッチ、呼出スイッチ７４４は浴室から浴室外の人を呼ぶ呼出手段の作動を指令するスイッチである。
【００４４】
また、風呂温度変更スイッチ７４５は風呂温度の設定値の上昇または下降を指令するスイッチ、給湯温度変更スイッチ５４６は給湯温度の設定値の上昇または下降を指令するスイッチであり、いずれも本発明で言う入力手段としてのスイッチである。
【００４５】
浴室リモコン７０の表示部７２は、表示素子に蛍光表示管を採用しており、前述のスイッチ７３、７４による設定状態などが表示できるようになっている。また、表示部７２は、図３に示すように、先のチャイルドセーフティモード表示７２１など蛍光表示管により文字をセグメント表示させるセグメント表示部と、蛍光表示管のドットマトリックスにより文字、あるいは図を表示させるドットマトリックス表示部とを持っており、本実施形態では、時刻表示や給湯温度表示、および浴水水位などを表示するようにしている。
【００４６】
次に、上記構成における、本実施形態の温度設定動作について説明する。図４は、本発明の第１実施形態における浴室リモコン７０での温度設定内容と温度設定範囲である。まず、通常運転モードについて説明すると、浴室リモコン７０の風呂温度変更スイッチ７４５を操作することにより、浴槽内の湯（浴水）の温度を３５〜４８℃に１℃刻みの任意温度に設定変更することができる。浴水の現在温度よりも風呂温度を下げた場合には差し水が行われ、浴水の現在温度よりも風呂温度を上げた場合には追い焚きや差し湯などが行われ、変更した設定温度に調整されることとなる。
【００４７】
同じく、通常運転モードにおいて、浴室リモコン７０の給湯温度変更スイッチ７４６を操作することにより、浴槽内への給湯温度を３５〜５０℃に１℃刻みの任意温度、もしくは６０℃の所定温度に設定変更することができる。この温度変更は、貯湯タンクユニット２内の図示しない給湯温度調整弁で調整されて給湯されることとなる。
【００４８】
次に、本実施形態での特徴作動について説明する。本実施形態では、メインリモコン５０と浴室リモコン７０とに設けたチャイルドセーフティモードスイッチ５３、７３のいずれか一方で、約３秒間の長押しすることによりチャイルドセーフティモードの設定と解除とが可能となっている。そして、このチャイルドセーフティモードを設定している間は、メインリモコン５０と浴室リモコン７０との両表示部５２、７２にチャイルドセーフティモード表示５２１、７２１が表示されるようになっている。
【００４９】
このチャイルドセーフティモードを設定すると、浴室リモコン７０の風呂温度変更スイッチ７４５を操作することによる風呂温度は、図４に示すように、設定範囲が３５〜４１℃と上限温度を下げた温度範囲で１℃刻みの任意温度に設定変更することができるようになる。
【００５０】
同様に、このチャイルドセーフティモードを設定すると、浴室リモコン７０の給湯温度変更スイッチ７４６を操作することによる給湯温度は、図４に示すように、設定範囲が３５〜４３℃と上限温度を下げた温度範囲で１℃刻みの任意温度に設定変更することができるようになる。
【００５１】
なお、このチャイルドセーフティモード設定状態は、チャイルドセーフティモードスイッチ５３、７３のいずれか一方で、再度約３秒間の長押しすることによって解除され、メインリモコン５０と浴室リモコン７０との両表示部５２、７２に表示されていたチャイルドセーフティモード表示５２１、７２１もが消える。そして、浴室リモコン７０で行う風呂温度もしくは給湯温度の温度設定範囲は、前述した通常運転モードでの温度設定範囲に戻るるようになっている。
【００５２】
次に、本実施形態での特徴と、その効果について述べる。まず、給湯される湯の温度を調節する給湯混合弁１１、１２と、給湯混合弁１１、１２により調温された湯を給湯する湯張り用開閉弁１４や混合栓Ｋなどの給湯手段と、給湯手段１４、Ｋにより給湯される湯の給湯設定温度を入力する給湯温度変更スイッチ５４８、７４６と、給湯設定温度に応じて調温した湯を給湯する通常運転モードと、給湯設定温度に所定の上限値を有するチャイルドセーフティモードとを選択するチャイルドセーフティモードスイッチ５３、７３と、チャイルドセーフティモードスイッチ５３、７３により選択された運転モードに応じて給湯混合弁１１、１２を制御する給湯制御装置２ａとを有している。
【００５３】
これによれば、リモコン５０、７０に設けたチャイルドセーフティモードスイッチ５３、７３を操作することにより、給湯制御装置２ａはチャイルドセーフティモードとして、予め火傷するおそれのない温度範囲に制限して設定した温度範囲内において、給湯温度の設定温度の変更を可能とするため、安全かつ使い勝手に優れた給湯装置とすることができる。
【００５４】
また、湯張り用開閉弁１４は浴槽Ｙ内に調温された湯を供給するようにしている。これによれば、カランやシャワーだけでなく、浴槽Ｙ内に供給される湯も火傷するおそれのない温度範囲に調温された湯となるため、安全となる。
【００５５】
また、給湯する湯を用いて浴槽Ｙ内の浴水の温度を調温する浴水調温手段と、その浴水調温手段にて調温する浴水設定温度を入力する風呂温度変更スイッチ７４５と、浴水設定温度に応じて浴水温度を調温する通常運転モードと、浴水設定温度に所定の上限値を有するチャイルドセーフティモードとを選択するチャイルドセーフティモードスイッチ５３、７３）とを有し、給湯制御装置２ａは、チャイルドセーフティモードスイッチ５３、７３により選択された運転モードに応じて浴水温度を調温するようにしている。
【００５６】
これによれば、リモコン５０、７０に設けたチャイルドセーフティモードスイッチ５３、７３を操作することにより、給湯制御装置２ａはチャイルドセーフティモードとして、予め火傷するおそれのない温度範囲に制限して設定した温度範囲内において、浴水温度の設定温度の変更を可能とするため、安全かつ使い勝手に優れた給湯装置とすることができる。
【００５７】
また、通常運転モード時に給湯設定温度もしくは浴水設定温度には上限値が設けられており、チャイルドセーフティモード時の給湯設定温度もしくは浴水設定温度の上限値は通常運転モード時の給湯設定温度もしくは浴水設定温度の上限値よりも低くなるようにしている。これによれば、予め上限温度を通常運転モードよりも低く制限することにより火傷するおそれを無くすことができる。
【００５８】
また、給湯制御装置２ａはリモコン５０、７０を有し、リモコン５０、７０には本給湯装置の作動状態に関する情報を表示する表示部５２、７２を有し、給湯制御装置２ａは、チャイルドセーフティモードが設定されているときには表示部５２、７２にチャイルドセーフティモードである旨のチャイルド表示５２１、７２１をするようにしている。これによれば、設定温度の変更に制限が掛かっていても、使用者に疑問を抱かせることがない。
【００５９】
また、貯湯タンク１０と、貯湯タンク１０内の水を加熱するヒートポンプユニット３と、貯湯タンク１０に給水する給水管１０１と、貯湯タンク１０から出湯させる出湯管１０４と、給水管１０１から分岐し、出湯管１０４に接続される給水分岐管１０５と、出湯管１０４からの湯と給水分岐管１０５からの水の混合割合を調節する給湯混合弁１１、１２と、給湯混合弁１１、１２によって混合された湯を給湯する給湯管１０６、１０７とを有し、調温手段１１、１２として給湯混合弁１１、１２を用いるようにしている。これによれば、一般的な貯湯式の給湯装置において、安全かつ使い勝手を良くすることができる。
【００６０】
（第２実施形態）
図５、図６は、本発明の第２実施形態における浴室リモコン７０での温度設定内容と温度設定範囲である。上述した第１実施形態と異なる特徴部分を説明する。本実施形態では、通常運転モード時に給湯設定温度もしくは浴水設定温度には下限値が設けられており、チャイルドセーフティモード時の給湯設定温度もしくは浴水設定温度の下限値は通常運転モード時の給湯設定温度もしくは浴水設定温度の下限値よりも高くなるようにしている。
【００６１】
これによれば、予め下限温度も通常運転モードよりも高く制限することにより、湯がぬるくなって体調を崩すおそれを無くすことができる。また、上限温度および下限温度を任意に設定可能としている。これによれば、給湯温度と風呂温度とのそれぞれ上限温度と下限温度とを任意に設定できることで、より適度な温度に調節することができ、使い勝手を良くする事ができる。
【００６２】
（その他の実施形態）
本発明は、上述した実施形態に限定されるものではない。例えば、上述の実施形態では、遠隔操作部としてのメインリモコン５０と浴室リモコン７０との２つを備えていたが、２つ以上であっても良いし、浴室リモコン（もしくはメインリモコン）１つだけのものであっても良い。また、上述の実施形態では、メインリモコン５０と浴室リモコン７０との両方にチャイルドセーフティモードスイッチ５３、７３を設けたが、浴室リモコン（もしくはメインリモコン）だけに設けたものであっても良い。
【００６３】
また、メインリモコン５０のチャイルドセーフティモードスイッチ５３を無くして、運転モード切替スイッチ５４３でチャイルドセーフティモードの設定、解除ができる構成としても良いし、浴室リモコン７０においても専用のチャイルドセーフティモードスイッチ７３を無くして、他のスイッチ操作でチャイルドセーフティモードの設定、解除ができる構成としても良い。
【００６４】
また、上述した実施形態では、制御手段は給湯制御装置２ａ、熱源制御装置３ａ、制御回路５１および制御回路７１により構成され、分散配置されていたが、これに限定されるものではない。例えば、貯湯タンクユニット２に設けられた給湯制御装置２ａに全ての制御機能を集約し、この給湯制御装置２ａが、ヒートポンプユニット３、メインリモコン５０および浴室リモコン７０を直接制御するものであっても良い。
【００６５】
また、上述した実施形態では、給湯装置１の水加熱手段はヒートポンプユニット３であったが、これに限定されるものではなく、例えば、電熱装置などの加熱手段であっても良い。また、給湯装置１は、湯を貯留するタイプでなくとも良い。また、上述した実施形態では、表示部５２、７２を蛍光表示管で構成していたが、これに限定されるものではない。
【図面の簡単な説明】
【００６６】
【図１】本発明の実施形態に係る給湯装置の概略構成を示す模式図である。
【図２】メインリモコン５０の外観図である。
【図３】浴室リモコン７０の外観図である。
【図４】本発明の第１実施形態における浴室リモコン７０での温度設定内容と温度設定範囲である。
【図５】本発明の第２実施形態における浴室リモコン７０での温度設定内容と温度設定範囲である。
【図６】本発明の第２実施形態における浴室リモコン７０での温度設定内容と温度設定範囲である。
【符号の説明】
【００６７】
２ａ…給湯制御装置（制御手段）
３…ヒートポンプユニット（水加熱手段）
１０…貯湯タンク
１１…風呂給湯混合弁（調温手段、混合手段）
１２…給湯混合弁（調温手段、混合手段）
１４…湯張り用開閉弁（給湯手段）
５０…メインリモコン（遠隔操作部）
５２…表示部
５３…チャイルドセーフティモードスイッチ（運転モード選択手段）
７０…浴室リモコン（遠隔操作部）
７２…表示部
７３…チャイルドセーフティモードスイッチ（運転モード選択手段）
１０１…給水管
１０４…出湯管
１０５…給水分岐管
１０６…風呂用給湯管（給湯管）
１０７…給湯管
５２１…チャイルド表示（表示）
５４８…給湯温度変更スイッチ（入力手段）
７２１…チャイルド表示（表示）
７４５…風呂温度変更スイッチ（入力手段）
７４６…給湯温度変更スイッチ（入力手段）
Ｋ…混合栓（給湯手段）
Ｙ…浴槽
【図１】
0004687539.tif 000002
【図２】
0004687539.tif 000003
【図３】
0004687539.tif 000004
【図４】
0004687539.tif 000005
【図５】
0004687539.tif 000006
【図６】
0004687539.tif 000007